(57)【特許請求の範囲】
【請求項１】
下記式（１）で表される化合物と、着色剤と、分散剤と、Ｃ４−Ｃ１２アルカンジオールとを含有するインク組成物であって、該インク組成物の総質量中における下記式（１）で表される化合物の含有量が、質量基準で０．１〜５％であるインク組成物。
【化１】
0006622700.tif 000008
［式（１）中、Ｒ１は、ヒドロキシ基を表し、Ｒ２はイソプロピル基を表し、Ｒ３はメチル基を表し、Ｒ４は水素原子を表し、Ｒ５はイソプロピル基をそれぞれ表す。］
【請求項２】
上記アルカンジオールが、Ｃ４−Ｃ８のアルカンジオールである請求項１に記載のインク組成物。
【請求項３】
請求項１又は２に記載のインク組成物の液滴を、記録信号に応じて吐出させて被記録材に付着させることにより記録を行うインクジェット記録方法。
【請求項４】
上記被記録材が情報伝達用シートである、請求項３に記載のインクジェット記録方法。
【請求項５】
請求項１又は２に記載のインク組成物により着色された着色体。
【請求項６】
請求項１又は２に記載のインク組成物を含有する容器が装填された、インクジェットプリンタ。
【発明の詳細な説明】
【技術分野】
【０００１】
本発明は、インク組成物、該インク組成物を用いるインクジェット記録方法、及び該インク組成物により着色された着色体に関する。
【背景技術】
【０００２】
各種のカラー記録方法の中でも代表的方法の１つであるインクジェットプリンタによる記録方法は、インクの小滴を発生させ、これを紙等の被記録材に付着させ記録を行うものである。インクジェット技術の進歩により、これまで銀塩写真やオフセット印刷によって実現されてきた高精細印刷の分野においても、インクジェット記録方法が用いられるようになってきた。さらに、近年では産業用途としての需要が高まり、高速印字に対する性能も求められている。【０００３】
水系インクを用いるインクジェット記録方法では、インクジェット専用紙；インクジェット用光沢紙；等のインク受容層を有する記録媒体以外に、インクの吸収能力が低い、汎用普通紙等のインク受容層を有しない記録媒体も用いられる。このうち後者のような記録媒体は、インクが浸透し難いため、印刷物の耐擦過性が弱く、特に水系顔料インクを使用したときは、モットリングと呼ばれる現象が生じることがある。【０００４】
モットリング現象とは、例えば、ベタ画像等のインクの付着量が多い画像を記録したときに、インクの付着量が被記録材のインク吸収能力を上回ることにより被記録材に均一に吸収されず、未吸収のインク液滴が被記録材上に偏在して定着し、不規則な画像ムラを生じる現象をいう。【０００５】
上記の問題に対し、特許文献１及び２には、界面活性剤および浸透剤によって紙への浸透性を制御することにより、耐擦過性がよく、かつ高画質な画像が得られるとされるインクが開示されている。また、特許文献３には、後記する式（１）で表される化合物を造膜助剤として含有する塗料が開示されている。
【先行技術文献】
【特許文献】
【０００６】
【特許文献１】国際公開第２００８／１０５２８９号
【特許文献２】特開２００３−２５３１６７号公報
【特許文献３】特開２００６−１８２９４３号公報
【発明の概要】
【発明が解決しようとする課題】
【０００７】
本発明は、インクの吸収能力が低い被記録材に記録したときでも耐擦過性に優れ、かつモットリング現象を生じず高画質な記録画像を与えるインク組成物、該インク組成物を用いたインクジェット記録方法、及び該インク組成物により着色された着色体の提供を課題とする。
【課題を解決するための手段】
【０００８】
本発明者らは、上記したような課題を解決すべく鋭意研究を重ねた結果、少なくとも、式（１）で表される化合物と、着色剤と、分散剤と、Ｃ４−Ｃ１２アルカンジオールとを含有するインク組成物により、上記課題を解決できることを見出し、本発明を完成させた。【０００９】
即ち、本発明は以下の１）〜６）に関する。
１）
下記式（１）で表される化合物と、着色剤と、分散剤と、Ｃ４−Ｃ１２アルカンジオールとを含有するインク組成物であって、該インク組成物の総質量中における下記式（１）で表される化合物の含有量が、質量基準で０．１〜５％であるインク組成物。
【００１０】
【化１】
0006622700.tif 000002
［式（１）中、Ｒ１は、ヒドロキシ基を表し、Ｒ２はイソプロピル基を表し、Ｒ３はメチル基を表し、Ｒ４は水素原子を表し、Ｒ５はイソプロピル基をそれぞれ表す。］
【００１１】
２）
上記アルカンジオールが、Ｃ４−Ｃ８のアルカンジオールである上記１）に記載のインク組成物。
３）
上記１）又は２）に記載のインク組成物の液滴を、記録信号に応じて吐出させて被記録材に付着させることにより記録を行うインクジェット記録方法。
４）
上記被記録材が情報伝達用シートである、上記３）に記載のインクジェット記録方法。
５）
上記１）又は２）に記載のインク組成物により着色された着色体。
６）
上記１）又は２）に記載のインク組成物を含有する容器が装填された、インクジェットプリンタ。
【発明の効果】
【００１２】
本発明により、インクの吸収能力が低い被記録材に記録したときでも耐擦過性に優れ、かつモットリング現象を生じず高画質な記録画像を与えるインク組成物、該インク組成物を用いたインクジェット記録方法、及び該インク組成物により着色された着色体を提供できた。
【発明を実施するための形態】
【００１３】
本明細書において、「Ｃ．Ｉ．」とは、「カラーインデックス」を意味する。また、本明細書においては、実施例等も含めて、「％」及び「部」については特に断りのない限り、いずれも質量基準で記載する。
【００１４】
上記式（１）中、Ｒ１におけるヒドロキシ基を有するアルコキシ基としては、通常ヒドロキシＣ１−Ｃ６アルコキシ、好ましくはヒドロキシＣ１−Ｃ４アルコキシ、より好ましくはヒドロキシＣ２−Ｃ４アルコキシの各基が挙げられる。そのアルコキシ部分としては、直鎖、分岐鎖又は環状のアルコキシが挙げられ、直鎖又は分岐鎖のものが好ましく、直鎖のものがより好ましい。その具体例としては、ヒドロキシメトキシ、２−ヒドロキシエトキシ、２−ヒドロキシ−ｎ−プロポキシ、３−ヒドロキシ−ｎ−プロポキシ、２−ヒドロキシ−ｎ−ブトキシ、３−ヒドロキシ−ｎ−ブトキシ、４−ヒドロキシ−ｎ−ブトキシ、２−ヒドロキシ−ｎ−ペントキシ、３−ヒドロキシ−ｎ−ペントキシ、４−ヒドロキシ−ｎ−ペントキシ、５−ヒドロキシ−ｎ−ペントキシ、２−ヒドロキシ−ｎ−ヘキシロキシ、３−ヒドロキシ−ｎ−ヘキシロキシ、４−ヒドロキシ−ｎ−ヘキシロキシ、５−ヒドロキシ−ｎ−ヘキシロキシ、６−ヒドロキシ−ｎ−ヘキシロキシ等の直鎖のもの；２−ヒドロキシイソプロポキシ、２−ヒドロキシイソブトキシ、３−ヒドロキシイソブトキシ、２−ヒドロキシイソペントキシ、３−ヒドロキシイソペントキシ、４−ヒドロキシイソペントキシ、２−ヒドロキシイソヘキシロキシ、３−ヒドロキシイソヘキシロキシ、４−ヒドロキシイソヘキシロキシ、５−ヒドロキシイソヘキシロキシ等の分岐鎖のもの；２−ヒドロキシシクロプロポキシ、２−ヒドロキシシクロブトキシ、３−ヒドロキシシクロブトキシ、２−ヒドロキシシクロペントキシ、３−ヒドロキシシクロペントキシ、２−ヒドロキシシクロヘキシロキシ、３−ヒドロキシシクロヘキシロキシ、４−ヒドロキシシクロヘキシロキシ等の環状のもの；等が挙げられる。これらの中では２−ヒドロキシエトキシが好ましい。
【００１５】
Ｒ１におけるアシロキシ基としては、直鎖、分岐鎖又は環状の通常Ｃ１−Ｃ６アシロキシ、好ましくはＣ１−Ｃ５アシロキシ、より好ましくはＣ２−Ｃ５アシロキシの各基が挙げられる。これらの中では直鎖又は分岐鎖のものが好ましく、直鎖のものがより好ましい。また、アシロキシ部分のエステルカルボニル以外に、さらに１つのカルボニル基を有するアシロキシ基が好ましい。その具体例としては、メチルカルボニルオキシ、エチルカルボニルオキシ、ｎ−プロピルカルボニルオキシ、ｎ−ブチルカルボニルオキシ、ｎ−ペンチルカルボニルオキシ等の直鎖のもの；イソプロピルカルボニルオキシ、イソブチルカルボニルオキシ、ｔ−ブチルカルボニルオキシ、イソペンチルカルボニルオキシ、１−エチルプロピルカルボニルオキシ、１，１−ジメチルプロピルカルボニルオキシ、２，２−ジメチルプロピルカルボニルオキシ等の分岐鎖のもの；シクロブチルカルボニルオキシ、シクロペンチルカルボニルオキシ等の環状のもの；１−オキソエチルカルボニルオキシ、２−オキソプロピルカルボニルオキシ、２−オキソブチルカルボニルオキシ、３−オキソブチルカルボニルオキシ、２−オキソペンチルカルボニルオキシ、３−オキソペンチルカルボニルオキシ、４−オキソペンチルカルボニルオキシ等の、さらに１つのカルボニル基を有するもの；等が挙げられる。これらの中では１−オキソエチルカルボニルオキシ、３−オキソブチルカルボニルオキシが好ましい。
【００１６】
Ｒ１におけるアリールカルボニルオキシ基としては、通常Ｃ６−Ｃ１２アリールカルボニルオキシが挙げられる。具体例としては、フェニルカルボニルオキシ、ナフチルカルボニルオキシ、ビフェニルカルボニルオキシ等が挙げられ、これらの中ではフェニルカルボニルオキシが好ましい。
【００１７】
上記のうち、Ｒ１としてはヒドロキシ基又はヒドロキシ基を有するアルコキシ基が好ましく、ヒドロキシ基がより好ましい。
【００１８】
Ｒ２乃至Ｒ５におけるアルキル基としては、通常Ｃ１−Ｃ６、好ましくはＣ１−Ｃ４の直鎖、分岐鎖又は環状のアルキル基が挙げられる。その具体例としては、例えば、メチル、エチル、ｎ−プロピル、ｎ−ブチル、ｎ−ペンチル、ｎ−ヘキシルといった直鎖のもの；イソプロピル、イソブチル、ｓｅｃ−ブチル、ｔ−ブチル、イソペンチル、ｔ−ペンチル、イソヘキシル、ｔ−ヘキシル等の分岐鎖のもの；シクロプロピル、シクロブチル、シクロペンチル、シクロヘキシル等の環状のもの；等が挙げられる。
これらのうち、
Ｒ２としては直鎖又は分岐鎖のものが好ましく、分岐鎖のものがより好ましい。上記の中でもＣ３−Ｃ４の直鎖又は分岐鎖のアルキル基が好ましく、ｎ−プロピル、イソプロピル、ｔ−ブチルがより好ましく、イソプロピルが特に好ましい。
Ｒ３としては直鎖のものが好ましく、上記の中でもメチルが特に好ましい。
Ｒ４としては、直鎖又は分岐鎖のものが好ましく、上記の中でもＣ３−Ｃ４の直鎖又は分岐鎖のアルキル基が好ましく、ｎ−プロピル、イソプロピル、ｔ−ブチルがより好ましい。
Ｒ５としては、直鎖又は分岐鎖のものが好ましく、分岐鎖のものがより好ましい。上記の中でもＣ２−Ｃ４の直鎖又は分岐鎖のアルキル基が好ましく、エチル、ｎ−プロピル、イソプロピル、ｔ−ブチルがより好ましく、イソプロピルが特に好ましい。
【００１９】
上記のうち、
Ｒ１としては、ヒドロキシ基又はヒドロキシ基を有するアルコキシ基が好ましく、ヒドロキシ基がより好ましい。
Ｒ２としては、アルキル基が好ましく、分岐鎖アルキル基がより好ましい。
Ｒ３としては、アルキル基が好ましく、直鎖アルキル基がより好ましい。
Ｒ４としては、水素原子又はヒドロキシ基が好ましい。
Ｒ５としては、分岐鎖アルキル基が好ましい。
【００２０】
上記のうち、好ましいもの同士の組み合わせはより好ましく、より好ましいもの同士の組み合わせはさらに好ましい。好ましいものとより好ましいもの、より好ましいものとさらに好ましいものとの組み合わせ等についても同様である。
【００２１】
上記式（１）で表される化合物のうち、市販品としてはイーストマンケミカル社製のテキサノールが挙げられる。
【００２２】
上記式（１）で表される化合物の具体例を下記表１に挙げるが、本発明はこれらの具体例に何ら限定されない。また、表１中の略号等は、以下の意味を有する。
Ｐｈ：フェニル。
ｉ−Ｐｒ：イソプロピル。
ｎ−Ｐｒ：ノルマルプロピル。
ｔ−Ｂｕ：ターシャリーブチル。
Ｅｔ：エチル。
【００２３】
【表１】
0006622700.tif 000003
【００２４】
上記インク組成物の総質量中における、式（１）で表される化合物の含有量は、通常０．１％〜５％であり、好ましくは１％〜５％である。０．１％以上ではモットリング現象の改善効果が得られ、５％以下ではインク組成物の保存安定性等が良好である。
また、上記インク組成物は、式（１）で表される化合物の１種類のみを含有することも、２種類以上を併用することもできる。
【００２５】
上記インク組成物が含有する着色剤は、特に限定されるものではなく、顔料、分散染料、油溶性染料等を使用することができる。着色剤としては、水に不溶性又は難溶性の着色剤が好ましい。本明細書において、水に不溶性又は難溶性の着色剤とは、２５℃の水に対する溶解性が通常３ｇ／リットル以下、好ましくは２ｇ／リットル以下、より好ましくは１ｇ／リットル以下の着色剤を意味する。
なお、上記インク組成物は、着色剤が分散した状態のインク組成物、すなわち、分散インク組成物である。
【００２６】
顔料には、主に無機顔料、有機顔料及び体質顔料等があり、本発明では、いずれの顔料も用いることができる。また、それらの顔料は組み合わせることも可能で、例えば有機顔料中に体質顔料を加えることも可能である。
【００２７】
無機顔料としては、例えば、カーボンブラック；金属酸化物、金属水酸化物、金属硫化物、フェロシアン化物、及び金属塩化物；等が挙げられる。特に、黒色の無機顔料としてはカーボンブラックが好ましい。カーボンブラックの種類としては、例えば、サーマルブラック、アセチレンブラック、オイルファーネスブラック、ガスファーネスブラック、ランプブラック、ガスブラック、及びチャンネルブラック等が挙げられる。
【００２８】
上記のカーボンブラックとしてはファーネスブラック、ランプブラック、アセチレンブラック、チャンネルブラック等が好ましい。カーボンブラックの具体例としては、例えば、Ｒａｖｅｎ７６０ＵＬＴＲＡ、Ｒａｖｅｎ７８０ＵＬＴＲＡ、Ｒａｖｅｎ７９０ＵＬＴＲＡ、Ｒａｖｅｎ１０６０ＵＬＴＲＡ、Ｒａｖｅｎ１０８０ＵＬＴＲＡ、Ｒａｖｅｎ１１７０、Ｒａｖｅｎ１１９０ＵＬＴＲＡ  ＩＩ、Ｒａｖｅｎ１２００、Ｒａｖｅｎ１２５０、Ｒａｖｅｎ１２５５、Ｒａｖｅｎ１５００、Ｒａｖｅｎ２０００、Ｒａｖｅｎ２５００ＵＬＴＲＡ、Ｒａｖｅｎ３５００、Ｒａｖｅｎ５０００ＵＬＴＲＡ  ＩＩ、Ｒａｖｅｎ５２５０、Ｒａｖｅｎ５７５０、Ｒａｖｅｎ７０００（以上、コロンビア・カーボン社製）；Ｍｏｎａｒｃｈ７００、Ｍｏｎａｒｃｈ８００、Ｍｏｎａｒｃｈ８８０、Ｍｏｎａｒｃｈ９００、Ｍｏｎａｒｃｈ１０００、Ｍｏｎａｒｃｈ１１００、Ｍｏｎａｒｃｈ１３００、Ｍｏｎａｒｃｈ１４００、Ｒｅｇａｌ１３３０Ｒ、Ｒｅｇａｌ１４００Ｒ、Ｒｅｇａｌ１６６０Ｒ、Ｍｏｇｕｌ  Ｌ（以上、キャボット社製）；Ｃｏｌｏｒ  Ｂｌａｃｋ  ＦＷ１、Ｃｏｌｏｒ  Ｂｌａｃｋ  ＦＷ２、Ｃｏｌｏｒ  Ｂｌａｃｋ  ＦＷ２Ｖ、Ｃｏｌｏｒ  Ｂｌａｃｋ  ＦＷ２００、Ｃｏｌｏｒ  Ｂｌａｃｋ  Ｓ１５０、Ｃｏｌｏｒ  Ｂｌａｃｋ  Ｓ１６０、Ｃｏｌｏｒ  Ｂｌａｃｋ  Ｓ１７０、Ｐｒｉｎｔｅｘ  ３５、Ｐｒｉｎｔｅｘ  Ｕ、Ｐｒｉｎｔｅｘ  Ｖ、  Ｐｒｉｎｔｅｘ  １４０Ｕ、  Ｐｒｉｎｔｅｘ  １４０Ｖ、  ＳｐｅｃＩａｌ  Ｂｌａｃｋ  ４、ＳｐｅｃＩａｌ  Ｂｌａｃｋ  ４Ａ、ＳｐｅｃＩａｌ  Ｂｌａｃｋ  ５、Ｓｐｅｃｉａｌ  Ｂｌａｃｋ  ６（以上、デグサ社製）；ＭＡ７、ＭＡ８、ＭＡ１００、ＭＡ６００、ＭＣＦ−８８、Ｎｏ．２５、Ｎｏ．３３、Ｎｏ．４０、Ｎｏ．４７、Ｎｏ．５２、Ｎｏ．９００、Ｎｏ．２３００（以上、三菱化学社製）；等が挙げられる。
【００２９】
有機顔料としては、例えば、溶性アゾ顔料、不溶性アゾ顔料、不溶性ジアゾ顔料、縮合アゾ顔料、フタロシアニン顔料、キナクリドン顔料、イソインドリノン顔料、ジオキサジン顔料、ペリレン顔料、ペリノン顔料、チオインジゴ顔料、アンソラキノン顔料及びキノフタロン顔料が挙げられる。
【００３０】
有機顔料の具体例としては、例えば、Ｃ．Ｉ．Ｐｉｇｍｅｎｔ  Ｙｅｌｌｏｗ  １、２、３、１２、１３、１４、１６、１７、２４、５５、７３、７４、７５、８３、９３、９４、９５、９７、９８、１０８、１１４、１２８、１２９、１３８、１３９、１５０、１５１、１５４、１５５、１８０、１８５、１９３、１９９、２０２等のイエロー顔料；Ｃ．Ｉ．Ｐｉｇｍｅｎｔ  Ｒｅｄ  ５、７、１２、４８、４８：１、５７、８８、１１２、１２２、１２３、１４６、１４９、１６６、１６８、１７７、１７８、１７９、１８４、１８５、２０２、２０６、２０７、２５４、２５５、２５７、２６０、２６４、２７２等のレッド顔料；Ｃ．Ｉ．Ｐｉｇｍｅｎｔ  Ｂｌｕｅ  １、２、３、１５、１５：１、１５：２、１５：３、１５：４、１５：６、１６、２２、２５、６０、６６、８０等のブルー顔料；Ｃ．Ｉ．Ｐｉｇｍｅｎｔ  Ｖｉｏｌｅｔ  １９、２３、２９、３７、３８、５０等のバイオレット顔料；Ｃ．Ｉ．Ｐｉｇｍｅｎｔ  Ｏｒａｎｇｅ  １３、１６、６８、６９、７１、７３等のオレンジ〜ブラウン顔料；Ｃ．Ｉ．Ｐｉｇｍｅｎｔ  Ｇｒｅｅｎ  ７、３６、５４等のグリーン顔料；Ｃ．Ｉ．Ｐｉｇｍｅｎｔ  Ｂｌａｃｋ  １等のブラック顔料；等が挙げられる。
【００３１】
体質顔料としては、例えば、シリカ、炭酸カルシウム、タルク、クレー、硫酸バリウム、ホワイトカーボン等が挙げられる。これらの体質顔料は単独で使用されることはなく、通常、無機顔料又は有機顔料と併用される。
【００３２】
分散染料としては、例えば、アゾベンゼン系やアントラキノン系等の公知の分散染料を使用することができる。
【００３３】
好適な分散染料としては、例えば、Ｃ．Ｉ．Ｄｉｓｐｅｒｓ  Ｙｅｌｌｏｗ  ９、２３、３３、４２、４９、５４、５８、６０、６４、６６、７１、７６、７９、８３、８６、９０、９３、９９、１１４、１１６、１１９、１２２、１２６、１４９、１６０、１６３、１６５、１８０、１８３、１８６、１９８、２００、２１１、２２４、２２６、２２７、２３１、２３７等のイエロー染料；Ｃ．Ｉ．Ｄｉｓｐｅｒｓ  Ｒｅｄ  ６０、７３、８８、９１、９２，１１１、１２７、１３１、１４３、１４５、１４６、１５２、１５３、１５４、１６７、１７９、１９１、１９２、２０６、２２１、２５８、２８３等のレッド染料：Ｃ．Ｉ．Ｄｉｓｐｅｒｓ  Ｏｒａｎｇｅ  ９、２５、２９、３０、３１、３２、３７、３８、４２、４４、４５、５３、５４、５５、５６、６１、７１、７３、７６、８０、９６、９７等のオレンジ染料；Ｃ．Ｉ．Ｄｉｓｐｅｒｓ  Ｖｉｏｌｅｔ  ２５、２７、２８、５４、５７、６０、７３、７７、７９、７９：１等のバイオレット染料；Ｃ．Ｉ．Ｄｉｓｐｅｒｓ  Ｂｌｕｅ  ２７、５６、６０、７９：１、８７、１４３、１６５、１６５：１、１６５：２、１８１、１８５、１９７、２０２、２２５、２５７、２６６、２６７、２８１、３４１、３５３、３５４、３５８、３６４、３６５、３６８等のブルー染料；等が挙げられる。
【００３４】
上記の着色剤としては、単一の顔料又は染料を用いることができる。また、記録される画像の色相の調整等を目的として、顔料及び染料から選択される、２種類以上の着色剤を併用することもできる。
また、顔料粒子の表面に、化学的に分散性付与基を導入した、表面処理顔料（自己分散顔料ともいう。）を用いることもできる。
【００３５】
上記インク組成物の総質量中における着色剤の含有量は、通常１〜３０％、好ましくは１〜１０％、より好ましくは２〜７％である。
【００３６】
上記の分散剤としては、スチレン及びその誘導体；ビニルナフタレン及びその誘導体；α，β−エチレン性不飽和カルボン酸の脂肪族アルコールエステル等；アクリル酸及びその誘導体；マレイン酸及びその誘導体；イタコン酸及びその誘導体；フマール酸及びその誘導体；酢酸ビニル、ビニルアルコール、ビニルピロリドン、アクリルアミド、及びその誘導体；等よりなる群の単量体から選択される、少なくとも２つの単量体（好ましくは、このうち少なくとも１つが親水性の単量体）からなる共重合体、例えば、ブロック共重合体、ランダム共重合体及びグラフト共重合体、及び／又はそれらの塩等が挙げられる。
分散剤は、合成することも、市販品として入手することも可能である。市販品の具体例としては、いずれもＢＡＳＦ社製の、ジョンクリル６１Ｊ、６７、６８、４５０、５５、５５５、５８６、６７８、６８０、６８２、６８３、６９０；及び、Ｂ−３６；等が好ましく挙げられる。
さらに、国際公開第２０１３／１１５０７１号に記載の分散剤も好ましく挙げられる。
分散剤は、1種類を使用することも、２種類以上を併用することもできる
【００３７】
分散剤の重量平均分子量としては、おおよそ１００００〜６００００、好ましくは１２５００〜４００００、より好ましくは１２５００〜３００００程度である。また、酸価としては、おおよそ８０〜３００、好ましくは９０〜２７５、より好ましくは９０〜２５０程度である。
【００３８】
上記の分散剤は、着色剤と混合した状態で使用することができる。また、着色剤の表面に分散剤を被覆させて、いわゆるマイクロカプセル化顔料として使用することもできる。
上記インク組成物は、着色剤と分散剤を混合した状態で含有することも、マイクロカプセル化顔料とした状態で含有することもできるが、後者の方が好ましい。
【００３９】
着色剤に対する分散剤の使用量は、着色剤を１部として、通常０．１部〜１部、好ましくは０．１部〜０．６部、より好ましくは０．２部〜０．４部である。分散剤の使用量は、少なすぎても多すぎても、インク組成物の安定性の低下；記録画像の劣化；等の問題を生じることがある。
【００４０】
上記インク組成物中が含有するアルカンジオールとしては、Ｃ４−Ｃ１２のアルカンジオールが好ましく、Ｃ４−Ｃ８のアルカンジオールがより好ましい。該アルカンジオールにおけるアルカンは、直鎖又は分岐鎖の何れであってもよいが、直鎖が好ましい。ジオールの置換位置は特に制限されないが、２つのヒドロキシ基のうち１つはアルカンの１位にあることが好ましく、１，２−アルカンジオールが好ましい。その具体例としては、１，２−ブタンジオール、１，３−ブタンジオール、１，４−ブタンジオール、１，２−ペンタンジオール、１，３−ペンタンジオール、１，４−ペンタンジオール、１，５−ペンタンジオール、１，２−ヘキサンジオール、１，３−ヘキサンジオール、１，４−ヘキサンジオール、１，５−ヘキサンジオール、１，６−ヘキサンジオール、１，２−ヘプタンジオール、１，３−ヘプタンジオール、１，４−ヘプタンジオール、１，５−ヘプタンジオール、１，６−ヘプタンジオール、１，７−ヘプタンジオール、１，２−オクタンジオール、１，３−オクタンジオール、１，４−オクタンジオール、１，５−オクタンジオール、１，６−オクタンジオール、１，７−オクタンジオール、１，８−オクタンジオール、１，２−ノナンジオール、１，２−デカンジオール、１，２−ウンデカンジオール、１，２−ドデカンジオール等が挙げられる。これらの中では１，２−ブタンジオール、１，２−ヘキサンジオール、１，２−オクタンジオールが好ましい。
上記インク組成物の総質量中における、Ｃ４−Ｃ１２のアルカンジオールの含有量は通常１〜３５％、好ましくは１〜２０％である。また、Ｃ４−Ｃ１２のアルカンジオールの含有量は、質量基準で、式（１）で表される化合物の量に対して通常２倍〜２００倍である。
【００４１】
上記インク組成物は、例えば、水溶性有機溶剤、防腐剤、防黴剤、ｐＨ調整剤、キレート試薬、防錆剤、水溶性紫外線吸収剤、水溶性高分子化合物、酸化防止剤、界面活性剤、水分散性樹脂、ワックス剤等のインク調製剤を、必要に応じて含有することができる。インク調製剤の各種類は、いずれも1種類を使用することも、２種類以上を併用することもできる。
【００４２】
水溶性有機溶剤としては、例えば、メタノール、エタノール、プロパノール、イソプロパノール、ブタノール、イソブタノール、第二ブタノール又は第三ブタノール、トリメチロールプロパン等のＣ１−Ｃ６アルカノール；Ｎ，Ｎ−ジメチルホルムアミド又はＮ，Ｎ−ジメチルアセトアミド等のカルボン酸アミド；２−ピロリドン、Ｎ−メチル−２−ピロリドン又はＮ−メチルピロリジン−２−オン等のラクタム；１，３−ジメチルイミダゾリジン−２−オン又は１，３−ジメチルヘキサヒドロピリミド−２−オン、等の環式尿素類；アセトン、２−メチル−２−ヒドロキシペンタン−４−オン、エチレンカーボネート等のケトン又はケトアルコール；テトラヒドロフラン、ジオキサン等の環状エーテル；エチレングリコール、ジエチレングリコール、トリエチレングリコール、テトラエチレングリコール、プロピレングリコール、ジプロピレングリコール、分子量４００、８００、１５４０又はそれ以上のポリエチレングリコール類、ポリプロピレングリコール、チオジグリコール又はジチオジグリコール等のＣ２−Ｃ６アルキレン単位を有するモノ、オリゴ若しくはポリアルキレングリコール又はチオグリコール；グリセリン、ジグリセリン、ヘキサン−１，２，６−トリオール等のポリオール（トリオール）；エチレングリコールモノメチルエーテル、エチレングリコールモノエチルエーテル、ジエチレングリコールモノエチルエーテル、ジエチレングリコールモノブチルエーテル（ブチルカルビトール）、トリエチレングリコールモノメチルエーテル、トリエチレングリコールモノエチルエーテル、エチレングリコールモノアリルエーテル、エチレングリコールモノイソプロピルエーテル、ジエチレングリコールモノメチルエーテル、プロピレングリコールモノプロピルエーテル、トリエチレングリコールモノブチルエーテル等の多価アルコールのＣ１−Ｃ４アルキルエーテル；γ−ブチロラクトン又はジメチルスルホキシド等；等が挙げられる。
これらの中では、モノアルキレングリコールが好ましく、プロピレングリコールがより好ましい。また、イソプロパノール、２−ピロリドン、Ｎ−メチル−２−ピロリドン、グリセリン、エチレングリコールモノアリルエーテル、エチレングリコールモノイソプロピルエーテル、ジエチレングリコールモノメチルエーテル、プロピレングリコールモノプロピルエーテル等が好ましい。
【００４３】
防腐剤の例としては、例えば有機硫黄系、有機窒素硫黄系、有機ハロゲン系、ハロアリールスルホン系、ヨードプロパギル系、ハロアルキルチオ系、ニトリル系、ピリジン系、８−オキシキノリン系、ベンゾチアゾール系、イソチアゾリン系、ジチオール系、ピリジンオキシド系、ニトロプロパン系、有機スズ系、フェノール系、第４アンモニウム塩系、トリアジン系、チアジン系、アニリド系、アダマンタン系、ジチオカーバメイト系、ブロム化インダノン系、ベンジルブロムアセテート系又は無機塩系等の化合物が挙げられる。
防腐剤の市販品の具体例としては、アーチケミカル社製、商品名プロクセルＧＸＬ（Ｓ）やプロクセルＸＬ−２（Ｓ）等が挙げられる。
【００４４】
防黴剤の具体例としては、デヒドロ酢酸ナトリウム、安息香酸ナトリウム、ナトリウムピリジンチオン−１−オキシド、ｐ−ヒドロキシ安息香酸エチルエステル、１，２−ベンズイソチアゾリン−３−オン及びその塩等が挙げられる。
【００４５】
ｐＨ調整剤としては、調製されるインク組成物に悪影響を及ぼさずに、そのｐＨを上記の範囲に制御できるものであれば任意の物質を使用することができる。その具体例としては、例えば、ジエタノールアミン、トリエタノールアミン、Ｎ−メチルジエタノールアミン等のアルカノールアミン；水酸化リチウム、水酸化ナトリウム、水酸化カリウム等のアルカリ金属の水酸化物；水酸化アンモニウム（アンモニア水）；あるいは炭酸リチウム、炭酸ナトリウム、炭酸水素ナトリウム、炭酸カリウム等のアルカリ金属の炭酸塩；ケイ酸ナトリウム、酢酸カリウム等の有機酸のアルカリ金属塩；リン酸二ナトリウム等の無機塩基；等が挙げられる。
【００４６】
キレート試薬の具体例としては、例えばエチレンジアミン四酢酸二ナトリウム、ニトリロ三酢酸ナトリウム、ヒドロキシエチルエチレンジアミン三酢酸ナトリウム、ジエチレントリアミン五酢酸ナトリウム又はウラシル二酢酸ナトリウム等があげられる。
【００４７】
防錆剤の具体例としては、例えば、酸性亜硫酸塩、チオ硫酸ナトリウム、チオグリコール酸アンモニウム、ジイソプロピルアンモニウムナイトライト、四硝酸ペンタエリスリトール又はジシクロヘキシルアンモニウムナイトライト等があげられる。
【００４８】
水溶性紫外線吸収剤の例としては、例えばスルホ化されたベンゾフェノン系化合物、ベンゾトリアゾ−ル系化合物、サリチル酸系化合物、桂皮酸系化合物又はトリアジン系化合物が挙げられる。
【００４９】
水溶性高分子化合物の具体例としては、ポリエチレングリコール、ポリビニルアルコール、セルロース誘導体、ポリアミン又はポリイミン等があげられる。
【００５０】
酸化防止剤の例としては、例えば、各種の有機系及び金属錯体系の褪色防止剤を使用することができる。上記有機系の褪色防止剤の例としては、ハイドロキノン類、アルコキシフェノール類、ジアルコキシフェノール類、フェノール類、アニリン類、アミン類、インダン類、クロマン類、アルコキシアニリン類又は複素環類等が挙げられる。
【００５１】
界面活性剤の例としては、例えばアニオン、カチオン、ノニオン、両性、シリコーン系、フッ素系等の、公知の界面活性剤が挙げられる。
【００５２】
アニオン界面活性剤としてはアルキルスルホカルボン酸塩、α−オレフィンスルホン酸塩、ポリオキシエチレンアルキルエーテル酢酸塩、ポリオキシエチレンアルキルエーテル硫酸塩、Ｎ−アシルアミノ酸又はその塩、Ｎ−アシルメチルタウリン塩、アルキル硫酸塩ポリオキシアルキルエーテル硫酸塩、アルキル硫酸塩ポリオキシエチレンアルキルエーテル燐酸塩、ロジン酸石鹸、ヒマシ油硫酸エステル塩、ラウリルアルコール硫酸エステル塩、アルキルフェノール型燐酸エステル、アルキル型燐酸エステル、アルキルアリールスルホン酸塩、ジエチルスルホ琥珀酸塩、ジエチルヘキシルスルホ琥珀酸塩、ジオクチルスルホ琥珀酸塩等が挙げられ、市販品として入手できるものの具体例としては、例えば、ハイテノールＬＡ−１０、ＬＡ−１２、ＬＡ−１６、ネオハイテノールＥＣＬ−３０Ｓ、ＥＣＬ−４５（以上、第一工業製薬社製）等が挙げられる。
【００５３】
カチオン界面活性剤としては２−ビニルピリジン誘導体、ポリ４−ビニルピリジン誘導体等が挙げられる。
【００５４】
ノニオン界面活性剤としては、ポリオキシエチレンノニルフェニルエーテル、ポリオキシエチレンオクチルフェニルエーテル、ポリオキシエチレンドデシルフェニルエーテル、ポリオキシエチレンオレイルエーテル、ポリオキシエチレンラウリルエーテル、ポリオキシエチレンアルキルエーテル等のエーテル系；ポリオキシエチレンオレイン酸エステル、ポリオキシエチレンジステアリン酸エステル、ソルビタンラウレート、ソルビタンモノステアレート、ソルビタンモノオレエート、ソルビタンセスキオレエート、ポリオキシエチレンモノオレエート、ポリオキシエチレンステアレート等のエステル系；２，４，７，９−テトラメチル−５−デシン−４，７−ジオール、３，６−ジメチル−４−オクチン−３，６−ジオール、３，５−ジメチル−１−ヘキシン−３−オール等のアセチレングリコール（アルコール）系；日信化学社製  商品名サーフィノール１０４、１０５ＰＧ５０、８２、４２０、４４０、４６５、４８５、オルフィンＳＴＧ；ポリグリコールエーテル系（例えばＳＩＧＭＡ−ＡＬＤＲＩＣＨ社製のＴｅｒｇＩｔｏｌ１５−Ｓ−７等）；等が挙げられる。
【００５５】
両性界面活性剤としてはラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン、イミダゾリン誘導体等が挙げられる。
【００５６】
シリコーン系界面活性剤としては、ポリエーテル変性シロキサン、ポリエーテル変性ポリジメチルシロキサン等が挙げられる。その一例としては、ダイノール９６０、ダイノール９８０（エアープロダクツ社製）、シルフェイスＳＡＧ００１、シルフェイスＳＡＧ００２、シルフェイスＳＡＧ００３、シルフェイスＳＡＧ００５、シルフェイスＳＡＧ５０３Ａ、シルフェイスＳＡＧ００８、シルフェイスＳＡＧ００９、シルフェイスＳＡＧ０１０（日信化学社製）、さらに、ＢＹＫ−３４５、ＢＹＫ−３４７、ＢＹＫ−３４８、ＢＹＫ−３４９、ＢＹＫ−３４５５（ビックケミー社製）等が挙げられる。
【００５７】
フッ素系界面活性剤としては、例えば、パーフルオロアルキルスルホン酸化合物、パーフルオロアルキルカルボン酸系化合物、パーフルオロアルキルリン酸エステル化合物、パーフルオロアルキルエチレンオキサイド付加物、及びパーフルオロアルキルエーテル基を側鎖に有するポリオキシアルキレンエーテルポリマー化合物等が挙げられる。その一例としては、ＤｕＰｏｎｔ社製のＺｏｎｙｌ  ＴＢＳ、ＦＳＰ、ＦＳＡ、ＦＳＮ−１００、ＦＳＮ、ＦＳＯ−１００、ＦＳＯ、ＦＳ−３００、Ｃａｐｓｔｏｎｅ  ＦＳ−３０、ＦＳ−３１；オムノバ社製のＰＦ−１５１Ｎ、ＰＦ−１５４Ｎ；ＤＩＣ社製のＦ−１１４、Ｆ−４１０，Ｆ−４４４、ＥＸＰ．ＴＦ−２０６６、ＥＸＰ．ＴＦ−２１４８、ＥＸＰ．ＴＦ−２１４９、Ｆ−４３０、Ｆ−４７７、Ｆ−５５２、Ｆ−５５３、Ｆ−５５４、Ｆ−５５５、Ｆ−５５６、Ｆ−５５７、Ｆ−５５８、Ｆ−５５９、Ｆ−５６１、Ｆ−５６２、Ｒ−４０、Ｒ−４１、ＲＳ−７２−Ｋ、ＲＳ−７５、ＲＳ−７６−Ｅ、ＲＳ−７６−ＮＳ、ＲＳ−７７、ＥＸＰ．ＴＦ−１５４０、ＥＸＰ．ＴＦ−１７６０；ビックケミー社製のＢＹＫ−３４４０、ＢＹＫ−３４４１等が挙げられる。
【００５８】
界面活性剤のうち、好ましいものとしては、ノニオン系、シリコーン系、フッ素系の各界面活性剤が挙げられる。これらの中ではシリコーン系、及びフッ素系が好ましく、経済性を考慮するとシリコーン系がより好ましい。その具体例としては、サーフィノール１０４ＰＧ５０、サーフィノール４２０、サーフィノール４４０、サーフィノール４６５、ダイノール９８０、ＢＹＫ−３４５、ＢＹＫ−３４８、ＢＹＫ−３４９、Ｃａｐｓｔｏｎｅ  ＦＳ−３０、ＦＳ−３１等が挙げられる。
【００５９】
上記インク組成物が界面活性剤を含有するとき、界面活性剤の総含有量は、インク組成物の総質量に対して通常０．１〜３％、好ましくは０．３〜１％である。０．１％以上では、界面活性剤としての効果が得られやすく、３％以下では、顔料の分散安定性が良好である。
【００６０】
水分散性樹脂としては、常温で被膜化することによりインク組成物中の着色剤を被記録材に定着させる働きを有するものが好ましい。水分散性樹脂に使用される樹脂としては特に制限はなく、例えば、ウレタン系樹脂、ポリエステル樹脂、アクリル系樹脂、酢酸ビニル系樹脂、塩化ビニル系樹脂、アクリルスチレン系樹脂、アクリルシリコーン系樹脂等が挙げられる。
水分散性樹脂は、例えば、連続相としての水中に分散された樹脂エマルションの状態で使用することができる。
樹脂エマルションの市販品の具体例としては、例えば、スーパーフレックス１２６、１５０、１７０、２１０、４２０、４７０、８２０、８３０、８９０（ウレタン系樹脂エマルション  第一工業製薬社製）；ハイドランＨＷ−３５０、ＨＷ−１７８、ＨＷ−１６３、ＨＷ−１７１、ＡＰ−２０、ＡＰ−３０、ＷＬＳ−２０１、ＷＬＳ−２１０(ウレタン系樹脂エマルション  ＤＩＣ社製)；０５６９、０８５０Ｚ、２１０８（スチレン−ブタジエン系樹脂エマルション  ＪＳＲ社製）；ＡＥ９８０、ＡＥ９８１Ａ、ＡＥ９８２、ＡＥ９８６Ｂ、ＡＥ１０４（アクリル系樹脂エマルション  イーテック社製）；等が挙げられる。
【００６１】
ワックス剤は、水分散性樹脂と同様、被記録材に定着させる働きを有するものが好ましい。ワックス剤としては、ワックスエマルジョンが好ましく、水系ワックスエマルジョンであることがより好ましい。ワックスとしては、パラフィンワックス、マイクロクリスタリンワックス等の天然ワックス、及びポリエチレン、ポリプロピレン、フィッシャートロップ等の化学合成ワックスを用いることができる。ワックスエマルジョンの粒径は、インクジェットヘッドの目詰まりを防止するために５μｍ以下が好ましく、１μｍ以下がより好ましい。
ワックスエマルジョンとして市販されている製品としては、例えば、ビックケミー社製のＣＥＲＡＦＬＯＵＲ９２５、ＣＥＲＡＦＬＯＵＲ９２９、ＣＥＲＡＦＬＯＵＲ９５０、ＣＥＲＡＦＬＯＵＲ９９１、ＡＱＵＡＣＥＲ４９８、ＡＱＵＡＣＥＲ５０７、ＡＱＵＡＣＥＲ５１５、ＡＱＵＡＣＥＲ５２６、ＡＱＵＡＣＥＲ５３１、ＡＱＵＡＣＥＲ５３７、ＡＱＵＡＣＥＲ５３９、ＡＱＵＡＣＥＲ５５２、ＡＱＵＡＣＥＲ１５４７、ＡＱＵＡＭＡＴ２０８、ＡＱＵＡＭＡＴ２６３、ＡＱＵＡＭＡＴ２７２、ＭＩＮＥＲＰＯＬ２２１等；三井化学社製の三井ハイワックスＮＬ１００、三井ハイワックスＮＬ２００、三井ハイワックスＮＬ５００、三井ハイワックス４２０２Ｅ、三井ハイワックス１１０５Ａ、三井ハイワックス２２０３Ａ、三井ハイワックスＮＰ０５５、三井ハイワックスＮＰ５０５等；三洋化成工業社製のＫＵＥ−１００、ＫＵＥ−１１等が挙げられる。
【００６２】
上記インク組成物を調製する方法としては、例えば、着色剤と分散剤とをサンドミル（ビーズミルともいう。）、ロールミル、ボールミル、ペイントシェーカー、超音波分散機、マイクロフルイダイザー等を用い、水中で撹拌混合する等の、公知の方法等を用いて着色剤の分散液を得た後、必要に応じてインク調製剤等とを加えて撹拌、又はホモジナイザー等を用いる等の公知の方法で、各成分を混合して調製する方法等が挙げられる。インク組成物の調製にあたり、各成分を加える順番は特に制限されない。
【００６３】
上記の分散液やインク組成物は、必要に応じてメンブランフィルター、ガラス濾紙等を用いた精密濾過により、夾雑物を除くこともできる。該インク組成物をインクジェット記録に用いるときは、精密濾過を行うことが好ましい。精密濾過を行うフィルターの孔径は通常０．５μｍ〜２０μｍ、好ましくは０．５μｍ〜１０μｍである。また、分散液の精密濾過を行うときは０．５μｍ〜２０μｍが好ましく、インク組成物の精密濾過を行うときは０．５μｍ〜１０μｍが好ましい。
【００６４】
上記インク組成物のｐＨとしては、保存安定性を向上させる目的で、ｐＨ５〜１１が好ましく、ｐＨ７〜１０がより好ましい。また、インク組成物の表面張力としては、１０〜５０ｍＮ／ｍが好ましく、２０〜４０ｍＮ／ｍがより好ましい。さらに、インク組成物の粘度としては、３０ｍＰａ・ｓ以下が好ましく、２０ｍＰａ・ｓ以下がより好ましい。
【００６５】
上記インク組成物をインクジェット記録用のインクとして使用するとき、該インク組成物が含有する金属陽イオンの塩化物（例えば塩化ナトリウム）、硫酸塩（例えば硫酸ナトリウム）等の無機不純物の含有量は、少ないものを用いるのが好ましい。無機不純物は、一般に、市販品として入手する着色剤が含有していることが多い。その無機不純物含有量の目安は、おおよそ着色剤の総質量に対して１質量％以下程度であり、下限は分析機器の検出限界以下、すなわち０％でよい。無機不純物の少ない着色剤を得る方法としては、例えば逆浸透膜を用いる方法；着色剤の固体をメタノール等のＣ１−Ｃ４アルコール及び水の混合溶媒中で懸濁撹拌し、着色体を濾過分離して、乾燥する方法；又は、イオン交換樹脂で無機不純物を交換吸着する方法；等の脱塩処理が挙げられる。
【００６６】
上記インク組成物は、各種の記録・印刷分野において使用することができる。例えば、筆記用水性インク、水性印刷インク、情報記録インク、捺染等に好適である。特に、インクジェット記録に用いることが好ましく、後述するインクジェット記録方法において好適に使用される。
【００６７】
本発明のインクジェット記録方法は、上記インク組成物の液滴を、記録信号に応じて吐出させて被記録材に付着させることにより記録を行う方法である。記録の際に使用するインクノズル等については特に制限はなく、目的に応じて適宜選択することができる。
【００６８】
上記インクジェット記録方法は、公知のいずれの方式であってもよい。例えば、静電誘引力を利用してインクを吐出させる電荷制御方式；ピエゾ素子の振動圧力を利用するドロップオンデマンド方式（圧力パルス方式ともいう。）；電気信号を音響ビームに変えインクに照射し、その放射圧を利用してインクを吐出させる音響インクジェット方式；インクを加熱して気泡を形成し、生じた圧力を利用するサーマルインクジェット、すなわちバブルジェット（登録商標）方式；等が挙げられる。
なお、上記インクジェット記録方法には、フォトインクと称する、インク中の着色剤の含有量の低いインクを、小さい体積で多数射出する方式；実質的に同じ色相で、インク中の着色剤の含有量が異なる複数のインクを用いて画質を改良する方式；及び、無色透明のインクと、着色剤を含有するインクとを併用することにより、被記録材に対する着色剤の定着性を向上させる方式；等も含まれる。
【００６９】
上記着色体は、上記インク組成物により着色された物質を意味し、好ましくはインクジェットプリンタを用いるインクジェット記録方法によって着色された被記録材が挙げられる。該被記録材としては特に制限はないが、情報伝達用シートが好ましく、非・難吸収性の被記録材が特に好ましい。その具体例としては塗工紙が挙げられ、例えば、微塗工紙、アート紙、コート紙、マット紙、キャスト紙等が含まれる。
塗工紙は、表面に塗料を塗布し、美感や平滑さを高めた紙である。塗料としては、タルク、パイロフィライト、カオリン等の各種のクレー、酸化チタン、炭酸マグネシウム、炭酸カルシウム等と、デンプン及び／又はポリビニルアルコール等とを混合したものが挙げられる。
微塗工紙とは、塗料の塗工量が１２ｇ／ｍ２以下の記録用紙のことをいう。アート紙とは、上級記録用紙（上質紙、化学パルプ使用率１００％の紙）に４０ｇ／ｍ２前後の塗料を塗工した記録用紙のことをいう。コート紙、及びマット紙とは、２０〜４０ｇ／ｍ２程度の塗料を塗工した記録用紙のことをいう。キャスト紙とは、アート紙やコート紙を、キャストドラムという機械で表面に圧力をかけることで、光沢や記録効果がより高くなるように仕上げた記録用紙のことをいう。
本発明により得られる効果は、このような非・難吸収性の被記録材を用いたときに、極めて好適に発揮される。
【００７０】
被記録材としては、例えば、いずれもインク受容層を有しない普通紙、グラビア印刷やオフセット印刷等に用いられるメディア；インク受容層を有するインクジェット専用紙、インクジェット専用フィルム、光沢紙、又は光沢フィルム等；繊維や布（セルロース、ナイロン、羊毛等）；皮革；カラーフィルター用基材；等も挙げられる。ここで、インク受容層を有しない普通紙等の中には、上記の非・難吸収性の被記録材と同様にインク受容性の低いものが存在する。このような普通紙を用いたときも、本発明により得られる効果が極めて好適に発揮される。
【００７１】
上記インクジェット記録方法で情報伝達用シート等の被記録材に記録するときは、例えば上記のインク組成物を含有する容器をインクジェットプリンタの所定の位置にセットし、上記の記録方法で被記録材に記録することができる。
上記インクジェット記録方法は、本発明のインク組成物と、必要に応じて、グリーン、ブルー（又はバイオレット）及びレッド（又はオレンジ）等の各色のインク組成物とを併用することもできる。
各色のインク組成物は、それぞれの容器に注入され、その各容器を、上記インク組成物を含有する容器と同様にインクジェットプリンタの所定の位置に装填してインクジェット記録に使用することができる。
【００７２】
本発明のインク組成物を用いることで、インクジェット専用紙や汎用普通紙に限らず、非・難吸収性の被記録材を使用しても、耐擦過性に優れ、かつモットリング現象を生じず高画質な記録画像を得ることができる。また、メディア上でのインクドットの真円度が高く、平滑性があり、光沢感を損なわない画像が得られる。さらに、耐水性、耐光性、耐熱性、耐酸化ガス（例えば耐オゾンガス）性等の各種堅牢性に優れた記録画像を得ることができる。
【実施例】
【００７３】
以下、本発明を実施例によって具体的に説明するが、本発明は、以下の実施例によって限定されるものではない。【００７４】
［実施例１］：分散液１の調製。
国際公開第２０１３／１１５０７１号の合成例３に記載のブロック共重合体を調製し、得られた高分子分散剤６部を、２−ブタノン３０部に溶解させ、均一な溶液とした。この液に、０．４４ｇの水酸化ナトリウムを４１部のイオン交換水に溶解させた液を加え、１時間攪拌することで高分子分散剤が溶解した乳化溶液を調製した。これにＣ．Ｉ．Ｐｉｇｍｅｎｔ  Ｂｌｕｅ  １５：３（大日精化工業社製シアニンブルー  Ａ２２０Ｊ）２０部を加え、１５００ｒｐｍの条件下で１５時間、サンドグラインダー中で分散処理を行った。得られた液にイオン交換水１００部を滴下し、ろ過して分散用ビーズを取り除いた後、エバポレータで２−ブタノン及び水を減圧留去することにより、顔料固形分１１．９％のシアン分散液を得た。水溶液中の固形分測定には株式会社エイ・アンド・デイ社製、ＭＳ−７０を用いて、乾燥重量法により求めた。得られた着色分散液を、「分散液１」とする。【００７５】
［実施例２］：分散液２の調製。
ジョンクリル６８（ＭＷ：１３０００）１１．３部、及びトリエタノールアミン６部をイオン交換水９５．２部に溶解し、１時間攪拌した。得られた溶液にＣ．Ｉ．Ｐｉｇｍｅｎｔ  Ｂｌｕｅ  １５：３（大日精化工業社製  シアニンブルー  Ａ２２０Ｊ）３７．５部を加え、１５００ｒｐｍの条件下で２０時間、サンドグラインダーで分散処理を行った。得られた分散液にイオン交換水１５０部を滴下した後、この液をろ過して分散用ビーズを取り除くことにより、固形分の含有量が１９．２％の分散液を得た。得られた分散液を「分散液２」とする。【００７６】
［実施例３〜１０］：インクの調製。
下記表２に記載の各成分を加えて攪拌混合した後、ポアサイズ３μｍのメンブランフィルターで夾雑物を濾別し、評価試験用のインク組成物を得た。得られたインク組成物を、各実施例のインク組成物とする。
表２中、各成分の数値は「部」を意味する。残部とあるのは、純水を加えてインク組成物の総量を１００部に調整したことを意味する。【００７７】
下記表２中の略号等は、以下の意味である。
ＰＧ：プロピレングリコール。
２−Ｐｙ：２−ピロリドン。
ＢＹＫ−３４９：シリコーン系界面活性剤、ＢＹＫ−３４９。
ＳＦ４６５：ノニオン界面活性剤、サーフィノール４６５。
ＦＳ−３１：フッ素系界面活性剤、Ｃａｐｓｔｏｎｅ  ＦＳ−３１。
１，２−ＨＤ：１，２−ヘキサンジオール。
１，２−ＢＤ：１，２−ブタンジオール。
１，２−ＯＤ：１，２−オクタンジオール。
ＥＧ：エチレングリコール。【００７８】
【表２】
0006622700.tif 000004
【００７９】
［比較例１〜６］：比較用インクの調製。
上記表２に記載の各成分を用いる以外は実施例３〜１０と同様にして、比較例１〜６の比較用の各インク組成物を調製した。【００８０】
［（Ａ）インクジェット記録］
実施例、及び比較例の各インク組成物をそれぞれ使用し、セイコーエプソン社製インクジェットプリンタ、商品名ＰＸ２０５により、被記録材としてパールコートＮ（三菱製紙製：１２７．９ｇ／ｍ２）に対してインクジェット記録を行い、着色体を得た。被記録材への記録は、いずれも１００％Ｄｕｔｙ画像として行った。【００８１】
［（Ｂ）モットリング試験］
上記［（Ａ）インクジェット方式による記録］にて得られた着色体を試験片とし、各試験片のモットリングの状態を目視にて観察した。評価は下記Ａ〜Ｃの３段階の基準で評価した。評価結果を下記表３に示す。【００８２】
Ａ：モットリング現象が抑制されており、実用上、問題ない画像である。
Ｂ：モットリング現象による微細な色ムラが画像上に確認され、実用上、問題となる懸念がある。
Ｃ：モットリング現象が発生し、不均一で顕著な色ムラが画像上に確認され、実用には不適である。【００８３】
［（Ｃ）耐擦過性試験］
上記［（Ａ）インクジェット記録］にて得られた着色体を９０℃で２分間乾燥し、これを試験片とした。
各試験片の記録面と、記録を行う前のパールコートＮの白紙面とを重ねあわせた。この２枚重ねの紙面に対して５００ｇの荷重を２０往復させた後、各試験片からパールコートＮを剥がした。こうして得られた擦過前の試験片と擦過後の試験片の印字濃度を、Ｘ−ｒｉｔｅ社製濃度計、商品名Ｓｐｅｃｔｒｏ  Ｅｙｅにて測定した。観測光源はＤ５０、観測視野は２°、濃度はＡＮＳＩ  Ａの条件で測定を行い、記録画像の反射濃度Ｄｃ値を測定した。耐擦過性の指標として、擦過後の着色剤の残存率（％）を下記式で計算し、結果を下記表３に示した。
残存率（％）＝（擦過後の印字濃度）／（擦過前の印字濃度）ｘ１００。【００８４】
【表３】
0006622700.tif 000005
【００８５】
上記の結果から明らかなように、各実施例のインク組成物は、インクの吸収能力が低い被記録材に記録したときでも耐擦過性に優れ、かつモットリング現象を生じず高画質な記録画像を与えるインク組成物であることが確認された。【００８６】
［実施例１１〜１７］：インクの調製。
下記表４に記載の各成分を加えて攪拌混合した後、ポアサイズ３μｍのメンブランフィルターで夾雑物を濾別し、評価試験用のインク組成物を得た。得られたインク組成物を、各実施例のインク組成物とする。
表４中、各成分の数値は「部」を意味する。残部とあるのは、純水を加えてインク組成物の総量を１００部に調整したことを意味する。
下記表４中の略号等は、前記表２中の略号等と同じ意味である。【００８７】
【表４】
0006622700.tif 000006
【００８８】
上記のようにして得た実施例１１〜１７のインク組成物をそれぞれ使用し、前記［（Ａ）インクジェット記録］、［（Ｂ）モットリング試験］及び［（Ｃ）耐擦過性試験］を実施した。結果を下記表５に示した。【００８９】
【表５】
0006622700.tif 000007
【００９０】
上記の結果から明らかなように、各実施例のインク組成物は、インクの吸収能力が低い被記録材に記録したときでも耐擦過性に優れ、かつモットリング現象を生じず高画質な記録画像を与えるインク組成物であることが確認された。
【産業上の利用可能性】
【００９１】
本発明のインク組成物は、インクの吸収能力が低い被記録材に記録したときでも耐擦過性に優れ、かつモットリング現象を生じず高画質な記録画像を提供できることから、各種の記録用インク、特にインクジェット記録用インクとして極めて有用である。